(57)【要約】【課題】提供先毎に決められた種類の帳票が組み合わされているかどうかを検出する。【解決手段】帳票の種類毎の共通な情報及び当該帳票の種類を識別可能なバーコード情報を帳票に印刷するプレ印刷部１０ａと、プレ印刷部１０ａにて印刷された帳票に、帳票の提供先毎に決められた個別情報及び該個別情報を識別可能なバーコード情報を印刷する個別情報印刷部１０ｂと、プレ印刷部１０ａ及び個別情報印刷部１０ｂにて印刷された帳票と個別情報印刷部１０ｂのみにて印刷された帳票とを当該帳票の提供先毎に所定の組み合わせで丁合する丁合部２０と、丁合部２０にて帳票が丁合される際に、組み合わされる帳票に印刷されたバーコード情報を読み取ることにより、丁合部２０にて丁合された帳票の組み合わせを検査する検査部３０とを設ける。【選択図】  図１
2004262031.tif 000002
【特許請求の範囲】
【請求項１】
帳票の種類毎に決められた共通な情報及び当該帳票の種類を識別可能な第１の識別情報を帳票に印刷する第１の印刷手段と、前記第１の印刷手段にて前記共通な情報及び前記第１の識別情報が印刷された帳票に、該帳票の提供先毎に決められた個別情報を印刷する第２の印刷手段と、前記第１及び第２の印刷手段にて印刷された帳票と前記第１の印刷手段のみにて印刷された帳票とのうち提供先毎に所定の組み合わせとなる帳票を丁合する丁合手段と、前記丁合手段にて前記帳票が丁合される際に、組み合わされる帳票にそれぞれ印刷された前記第１の識別情報を読み取ることにより、前記丁合手段にて丁合された帳票の組み合わせを検査する検査手段とを少なくとも有してなる帳票検査システムであって、
前記第２の印刷手段は、前記個別情報を識別可能な第２の識別情報を前記帳票に印刷し、
前記検査手段は、読み取られた前記第１の識別情報によって識別される帳票が、前記第２の印刷手段にて前記個別情報が印刷される帳票である場合、当該帳票に前記第２の識別情報が印刷されているかどうかを検出することを特徴とする帳票検査システム。
【請求項２】
請求項１に記載の帳票検査システムにおいて、
前記検査手段は、組み合わされた帳票にそれぞれ印刷された前記第２の識別情報が互いに同一であるかどうかを判断することにより、前記丁合手段にて丁合された帳票の組み合わせを検査することを特徴とする帳票検査システム。
【請求項３】
種類毎に決められた共通な情報及び当該種類を識別可能な第１の識別情報と、提供先毎に決められた個別情報とが互いに異なる工程にて印刷され、提供先毎に組み合わされる帳票であって、
前記個別情報を識別可能な第２の識別情報が印刷されていることを特徴とする帳票。
【発明の詳細な説明】
【０００１】
【発明の属する技術分野】
本発明は、複数枚組み合わされて送付あるいは利用される帳票を検査する帳票検査システム及び帳票に関する。
【０００２】
【従来の技術】
一般に、複数枚組み合わされて送付あるいは利用される帳票においては、組み合わされる帳票のそれぞれに所定の情報が印刷された後、予め決められた組み合わせで丁合され、送付あるいは利用される。
【０００３】
ここで、組み合わされる帳票のそれぞれについては、帳票の種類毎に決められた情報と、帳票の宛先等のような帳票の提供先毎に決められた情報とが印刷されているが、通常、帳票の種類毎に決められた情報と帳票の提供先毎に決められた情報とは異なる工程にて印刷される。まず、帳票の種類毎に決められた情報が印刷され（プレ印刷）、その後、プレ印刷が施された帳票に、その帳票の提供先毎に決められた情報が印刷されることになる。
【０００４】
このように作製される帳票においては、予め決められた組み合わせで帳票が丁合されているかどうか検査する必要があり、そのための１つの手段として、丁合される帳票のそれぞれに、照合を行うための認識マークを印刷しておき、丁合時にこの認識マークを読み取ることにより、予め決められた組み合わせで帳票が丁合されているかどうか検査する技術が考えられている（例えば、特許文献１参照。）。
【０００５】
【特許文献１】
特開２００１−９６９５５号公報
【０００６】
【発明が解決しようとする課題】
しかしながら、上述したように丁合される帳票のそれぞれに、照合を行うための認識マークを印刷しておき、丁合時にこの認識マークを読み取ることにより、予め決められた組み合わせで帳票が丁合されているかどうか検査するものにおいては、帳票が予め決められた組み合わせで丁合されているかどうかを検査することはできるが、予め決められた組み合わせで帳票が丁合されているものの、プレ印刷された帳票に、その帳票の提供先毎に決められた情報が印刷されていない場合、その旨を検出することができないという問題点がある。
【０００７】
本発明は、上述したような従来の技術が有する問題点に鑑みてなされたものであって、提供先毎に決められた組み合わせで帳票が丁合されているかどうかを検出することができるとともに、プレ印刷された帳票に、その帳票の提供先毎に決められた情報が印刷されているかどうかを検査することができる帳票検査システム及び帳票を提供することを目的とする。
【０００８】
【課題を解決するための手段】
上記目的を達成するために本発明は、
帳票の種類毎に決められた共通な情報及び当該帳票の種類を識別可能な第１の識別情報を帳票に印刷する第１の印刷手段と、前記第１の印刷手段にて前記共通な情報及び前記第１の識別情報が印刷された帳票に、該帳票の提供先毎に決められた個別情報を印刷する第２の印刷手段と、前記第１及び第２の印刷手段にて印刷された帳票と前記第１の印刷手段のみにて印刷された帳票とのうち提供先毎に所定の組み合わせとなる帳票を丁合する丁合手段と、前記丁合手段にて前記帳票が丁合される際に、組み合わされる帳票にそれぞれ印刷された前記第１の識別情報を読み取ることにより、前記丁合手段にて丁合された帳票の組み合わせを検査する検査手段とを少なくとも有してなる帳票検査システムであって、
前記第２の印刷手段は、前記個別情報を識別可能な第２の識別情報を前記帳票に印刷し、
前記検査手段は、読み取られた前記第１の識別情報によって識別される帳票が、前記第２の印刷手段にて前記個別情報が印刷される帳票である場合、当該帳票に前記第２の識別情報が印刷されているかどうかを検出することを特徴とする。
【０００９】
また、前記検査手段は、組み合わされた帳票にそれぞれ印刷された前記第２の識別情報が互いに同一であるかどうかを判断することにより、前記丁合手段にて丁合された帳票の組み合わせを検査することを特徴とする。
【００１０】
また、種類毎に決められた共通な情報及び当該種類を識別可能な第１の識別情報と、提供先毎に決められた個別情報とが互いに異なる工程にて印刷され、提供先毎に組み合わされる帳票であって、
前記個別情報を識別可能な第２の識別情報が印刷されていることを特徴とする。
【００１１】
（作用）
上記のように構成された本発明においては、まず、第１の印刷手段において、帳票の種類毎に決められた共通な情報及び当該帳票の種類を識別可能な第１の識別情報が帳票に印刷され、次に、第２の印刷手段において、第１の印刷手段にて共通な情報及び第１の識別情報が印刷された帳票に、該帳票の提供先毎に決められた個別情報が印刷されるとともに、該個別情報を識別可能な第２の識別情報が印刷される。その後、丁合手段において、第１及び第２の印刷手段にて印刷された帳票と第１の印刷手段のみにて印刷された帳票とのうち提供先毎に所定の組み合わせとなる帳票が丁合される際に、検査手段において、組み合わされる帳票にそれぞれ印刷された第１の識別情報が読み取られ、丁合される帳票の組み合わせが検査されるとともに、読み取られた前記第１の識別情報によって識別される帳票が、第２の印刷手段にて個別情報が印刷される帳票である場合、帳票に前記第２の識別情報が印刷されているかどうかが検出される。
【００１２】
このように、丁合された帳票の組み合わせを検査する際に、読み取られた前記第１の識別情報によって識別される帳票が、第２の印刷手段にて個別情報が印刷される帳票である場合、帳票に第２の識別情報が印刷されているかどうかが検出されるので、提供先毎に決められた組み合わせで帳票が丁合されているかどうかを検出することができるとともに、プレ印刷された帳票に、その帳票の提供先毎に決められた情報が印刷されているかどうかを検査することができる。
【００１３】
また、同一の提供先に提供される帳票においては、同一の第２の識別情報が印刷されているはずであるため、検査手段において、組み合わされた帳票にそれぞれ印刷された第２の識別情報が互いに同一であるかどうかを判断すれば、提供先毎に決められた種類の帳票が組み合わされているかどうかを検出することができる。
【００１４】
【発明の実施の形態】
以下に、本発明の実施の形態について図面を参照して説明する。
【００１５】
図１は、本発明の帳票検査システムの実施の一形態を示すブロック図である。
【００１６】
本形態は図１に示すように、帳票の種類毎に決められた共通な情報及び当該帳票の種類を識別可能な第１の識別情報となるバーコード情報を帳票に印刷する第１の印刷手段であるプレ印刷部１０ａと、プレ印刷部１０ａにて帳票の種類毎に決められた共通な情報及びバーコード情報が印刷された帳票に、帳票の提供先毎に決められた個別情報及び該個別情報を識別可能な第２の識別情報となるバーコード情報を印刷する第２の印刷手段である個別情報印刷部１０ｂと、プレ印刷部１０ａ及び個別情報印刷部１０ｂにて印刷された帳票とプレ印刷部１０ａのみにて印刷された帳票とのうち提供先毎に所定の組み合わせとなる帳票を丁合する丁合部２０と、丁合部２０にて帳票が丁合される際に、組み合わされる帳票に印刷されたバーコード情報を読み取ることにより、丁合部２０にて丁合された帳票の組み合わせを検査するとともに、個別情報印刷部１０ｂにて個別情報が印刷されるべき帳票に個別情報が印刷されているかどうかを検査する検査部３０と、帳票の組み合わせ条件が入力される丁合情報入力部４０とから構成されている。なお、検査部３０は、帳票に印刷されたバーコード情報を読み取るバーコードリーダ３１と、バーコードリーダ３１にて読み取られた第１の識別情報によって識別される帳票が丁合情報入力部４０を介して入力された組み合わせ条件に合致しているかどうかを照合することにより丁合部２０にて丁合された帳票の組み合わせを検査するとともに、丁合情報入力部４０を介して入力された条件に基づいて、バーコードリーダ３１にて読み取られた第１の識別情報によって識別される帳票が、個別情報印刷部１０ｂにて個別情報が印刷される帳票である場合に、バーコードリーダ３１における第２の識別情報となるバーコード情報の読み取り結果に基づいて該帳票に提供先毎に決められた個別情報が印刷されているかどうかを検査する判断部３２とから構成されている。
【００１７】
以下に、上記のように構成された帳票検査システムにおける帳票の作製及び検査方法について説明する。
【００１８】
図２は、図１に示した帳票検査システムにおける帳票の作製及び検査方法を説明するためのフローチャートであり、図３は、図１に示した帳票検査システムの丁合部２０及び検査部３０における処理を具体的に説明するための図である。
【００１９】
まず、プレ印刷部１０ａにおいて、帳票の種類毎に決められた共通な情報及び当該帳票の種類を識別可能な第１の識別情報となるバーコード情報が帳票に印刷される（ステップＳ１）。
【００２０】
図４は、図１に示したプレ印刷部１０ａにて印刷された帳票を示す図である。
【００２１】
図４に示すように、プレ印刷部１０ａにおいては、帳票の種類毎に決められた共通なフォーマット情報１が印刷されるとともに、この帳票の種類を識別可能なバーコード情報２ａが印刷される。なお、このフォーマット情報１は、帳票のデザインや予め決められた文字あるいは画像情報等からなる。
【００２２】
次に、個別情報印刷部１０ｂにおいて、プレ印刷部１０ａにてフォーマット情報１及びバーコード情報２ａが印刷された帳票に、帳票の提供先毎に決められた個別情報及び該個別情報を識別可能な第２の識別情報となるバーコード情報が印刷される（ステップＳ２）。
【００２３】
図５は、図１に示した個別情報印刷部１０ｂにて印刷された帳票を示す図である。
【００２４】
図５に示すように、個別情報印刷部１０ｂにおいては、プレ印刷部１０ａにてフォーマット情報１及びバーコード情報２ａが印刷された帳票に、個別情報となる帳票の提供先を示す宛先情報３が印刷されるとともに、この帳票の提供先を識別可能なバーコード情報２ｂが印刷される。なお、個別情報としては、宛先情報３に限らず、帳票の提供先に通知したい情報等、帳票の提供先毎に決められた情報であればよい。例えば、複数枚重ね合わされて送付される帳票においては、１番上に重ねられる帳票には宛先情報３が印刷されている場合があるが、必ずしも宛先情報３が印刷されているとは限らず、帳票の提供先に通知したい情報等、帳票の提供先毎に決められた情報が印刷されることになる。また、他の帳票についても同様に、帳票の提供先に通知したい情報等、帳票の提供先毎に決められた情報が印刷されることになる。
【００２５】
このように、組み合わされる帳票毎にそれぞれ、プレ印刷部１０ａ及び個別情報印刷部１０ｂにおいて、帳票の種類毎に決められた共通な情報及び当該帳票の種類を識別可能なバーコード情報、並びに、帳票の提供先毎に決められた個別情報及び該個別情報を識別可能なバーコード情報が印刷される。
【００２６】
ここで、組み合わされる帳票においては、プレ印刷部１０ａにて図４に示したようなフォーマット情報１及びバーコード情報２ａが印刷されるとともに、個別情報印刷部１０ｂにて図５に示したような宛先情報３等の個別情報及びバーコード情報２ｂが印刷されるものの他に、プレ印刷部１０ａにて図４に示したようなフォーマット情報１及びバーコード情報２ａのみが印刷されるだけのものもある。例えば、商品のパンフレットや広告等においては、その商品に関する情報が印刷されているだけで個別情報は印刷されていない。
【００２７】
次に、丁合部２０において、プレ印刷部１０ａ及び個別情報印刷部１０ｂにて印刷された帳票とプレ印刷部１０ａのみにて印刷された帳票とが、丁合情報入力部４０を介して入力された条件に基づいて、当該帳票の提供先毎に所定の組み合わせで丁合される（ステップＳ３）。
【００２８】
図６は、図１及び図５に示したシステムにて丁合情報入力部４０を介して入力される条件を示す図である。
【００２９】
図６に示すように、本形態においては、帳票コードＡ０１，Ｂ０２，Ｃ５２によって識別される帳票をコレートする旨が丁合情報入力部４０を介して入力されたものとする。その際、丁合される帳票のそれぞれについて、個別情報印刷部１０ｂにて個別情報が印刷されているものであるかどうかが、バーコード情報２ｂの有無によって指定されている。
【００３０】
検査部３０においては、丁合される帳票にそれぞれ印刷されたバーコード情報２ａ，２ｂが読み取られ（ステップＳ４）、この読み取り結果に基づいて、丁合情報入力部４０を介して入力された条件による組み合わせで帳票が丁合されているかどうか、並びに、個別情報印刷部１０ｂにて個別情報が印刷されるべき帳票に個別情報が印刷されているかどうかが検査される（ステップＳ５）。
【００３１】
本形態においては、図３に示したように、帳票１００ａ，１００ｂ，１００ｃがコレートされるものとする。その場合、一番下に重ね合わされることになる帳票１００ａにおいては、バーコードリーダ３１ａにおいて、帳票に印刷されたバーコード情報２ａ，２ｂ（図５参照）が読み取られる。
【００３２】
また、この帳票１００ａの上に重ね合わされる帳票１００ｂは、まず、糊塗布部５０ａにおいて、帳票１００ａと重ね合わされる面の一部に糊が塗布され、その後、帳票１００ａ上に重ね合わされ、それにより、帳票１００ａと接着される。その状態において、バーコードリーダ３１ｂにおいて、帳票に印刷されたバーコード情報２ａ，２ｂ（図５参照）が読み取られる。
【００３３】
また、一番上に重ね合わされる帳票１００ｃは、まず、糊塗布部５０ｂにおいて、帳票１００ｂと重ね合わされる面の一部に糊が塗布され、その後、帳票１００ｂ上に重ね合わされ、それにより、帳票１００ｂと接着される。その状態において、バーコードリーダ３１ｃにおいて、帳票に印刷されたバーコード情報２ａ，２ｂ（図５参照）が読み取られる。
【００３４】
その後、バーコードリーダ３１ａ，３１ｂ，３１ｃにて帳票１００ａ，１００ｂ，１００ｃからそれぞれ読み取られたバーコード情報２ａ，２ｂを用いて、帳票１００ａ，１００ｂ，１００ｃの組み合わせが検査されるとともに、帳票１００ａ，１００ｂ，１００ｃのうち、個別情報印刷部１０ｂにて個別情報が印刷される帳票については、提供先毎に決められた個別情報が印刷されているかどうかが検査されることになる。
【００３５】
本形態においては、図６に示したような条件が丁合情報入力部４０を介して入力されているため、バーコードリーダ３１ａにて帳票コードＡ０１を示すバーコード情報２ａが読み取られているかどうか、また、バーコードリーダ３１ｂにて帳票コードＢ０２を示すバーコード情報２ａが読み取られているかどうか、また、バーコードリーダ３１ｃにて帳票コードＣ５２を示すバーコード情報２ａが読み取られているかどうかがそれぞれ検出される。
【００３６】
判断部３２においては、バーコードリーダ３１ａにて帳票コードＡ０１を示すバーコード情報２ａが読み取られていない場合、あるいは、バーコードリーダ３１ｂにて帳票コードＢ０２を示すバーコード情報２ａが読み取られていない場合、あるいは、バーコードリーダ３１ｃにて帳票コードＣ５２を示すバーコード情報２ａが読み取られていない場合、エラーが出力される。
【００３７】
また、判断部３２においては、バーコードリーダ３１ａ，３１ｂ，３１ｃにおいてバーコード情報２ｂがそれぞれ読み取られているかどうかが検出され、バーコードリーダ３１ａにおいてバーコード情報２ｂが読み取られていない場合、帳票コードＡ０１によって識別される帳票に印刷されるべき個別情報が印刷されていないと判断され、また、バーコードリーダ３１ｃにおいてバーコード情報２ｂが読み取られていない場合、帳票コードＣ５２によって識別される帳票に印刷されるべき個別情報が印刷されていないと判断され、いずれの場合もエラーが出力されることになる。
【００３８】
また、判断部３２においては、バーコードリーダ３１ａにて読み取られたバーコード情報２ｂと、バーコードリーダ３１ｃにて読み取られたバーコード情報２ｂとが同一であるかどうかが照合され、両者が同一でない場合は、帳票の提供先が異なると判断され、エラーが出力される。
【００３９】
なお、バーコード情報２ｂにおいては、そのバーコード情報２ｂによる番号帯や搬送されてくる帳票の順序を予め登録しておけば、バーコードリーダ３１ａ，３１ｂ，３１ｃにてバーコード情報２ｂが読み取られた際に、帳票の搬送順序等を検査することもできる。
【００４０】
【発明の効果】
以上説明したように本発明においては、帳票の種類毎に決められた共通な情報及び当該帳票の種類を識別可能な第１の識別情報を帳票に印刷する第１の印刷手段と、第１の印刷手段にて共通な情報及び第１の識別情報が印刷された帳票に、該帳票の提供先毎に決められた個別情報を印刷する第２の印刷手段と、第１及び第２の印刷手段にて印刷された帳票と第１の印刷手段のみにて印刷された帳票とのうち提供先毎に所定の組み合わせとなる帳票を丁合する丁合手段と、丁合手段にて帳票が丁合される際に、組み合わされる帳票にそれぞれ印刷された第１の識別情報を読み取ることにより、丁合手段にて丁合された帳票の組み合わせを検査する検査手段とを少なくとも有してなる帳票検査システムにおいて、第２の印刷手段にて、個別情報を識別可能な第２の識別情報を帳票に印刷し、検査手段において、読み取られた第１の識別情報によって識別される帳票が、第２の印刷手段にて個別情報が印刷される帳票である場合、当該帳票に第２の識別情報が印刷されているかどうかを検出する構成としたため、提供先毎に決められた組み合わせで帳票が丁合されているかどうかを検出することができるとともに、プレ印刷された帳票に、その帳票の提供先毎に決められた情報が印刷されているかどうかを検査することができる。
【図面の簡単な説明】
【図１】本発明の帳票検査システムの実施の一形態を示すブロック図である。
【図２】図１に示した帳票検査システムにおける帳票の作製及び検査方法を説明するためのフローチャートである。
【図３】図１に示した帳票検査システムの丁合部及び検査部における処理を具体的に説明するための図である。
【図４】図１に示したプレ印刷部にて印刷された帳票を示す図である。
【図５】図１に示した個別情報印刷部にて印刷された帳票を示す図である。
【図６】図１及び図５に示したシステムにて丁合情報入力部を介して入力される条件を示す図である。
【符号の説明】
１    フォーマット情報
２ａ，２ｂ    バーコード情報
３    宛先情報
１０ａ    プレ印刷部
１０ｂ    個別情報印刷部
２０    丁合部
３０    検査部
３１，３１ａ，３１ｂ，３１ｃ    バーコードリーダ
３２    判断部
４０    丁合情報入力部
５０ａ，５０ｂ    糊塗布部
１００ａ，１００ｂ，１００ｃ    帳票
【図１】
2004262031.tif 000003
【図２】
2004262031.tif 000004
【図３】
2004262031.tif 000005
【図４】
2004262031.tif 000006
【図５】
2004262031.tif 000007
【図６】
2004262031.tif 000008